(57)【要約】【課題】ワイヤハーネス本体への取付が容易で作業性が向上し、外力によりループ状のロープがほどけたり、破断したりすることがなく、しかも外観的にも違和感のないワイヤハーネス取外し用部品及びそれを組み込んだワイヤハーネスを提供する。【解決手段】本ワイヤハーネス取外し用部品１１は、長尺のロープ１２と、ロープを挿通させる挿通穴１６を有する樹脂製の固定具１３からなる。該ロープ１２の各端部１４にはそれぞれ結び目１５が形成され、これらの端部１４は該固定具１３内に樹脂モールドにより埋設され、該ロープ１２は該固定具１３とともにループ形状をなし、該固定具１３のロープ挿通穴１６内にはロープ固定のための抜け止め部１７が形成されている。本ワイヤハーネス取外し用部品１１は、ループ状ロープ１２を、ワイヤハーネス本体の周りを一巻きし、その一部位を該固定具１３の挿通穴１６に挿通させ、廃棄車両解体時に引上装置のフックを引っ掛けるためのアイ１９が形成されるようにワイヤハーネス本体に取り付けられて使用される。【選択図】　　　図２
2004023951.tif 000002
【特許請求の範囲】
【請求項１】
長尺のロープと、ロープを挿通させる挿通穴を有する樹脂製の固定具からなり、
該ロープの各端部にはそれぞれ結び目が形成され、これらの端部は該固定具内に樹脂モールドにより埋設され、該ロープは該固定具とともにループ形状をなし、
該固定具のロープ挿通穴内にはロープ固定のための抜け止め部が形成され、
ループ状ロープを、ワイヤハーネス本体の周りを一巻きし、その一部位を該固定具の挿通穴に挿通させ、廃棄車両解体時に引上装置のフックを引っ掛けるためのアイが形成されるようにワイヤハーネス本体に取り付けられて使用されるものであることを特徴とするワイヤハーネス取外し用部品。
【請求項２】
長尺のロープと、ロープを挿通させる挿通穴を有する樹脂製の固定具からなり、
該ロープの各端部にはそれぞれ留め具が取り付けられ、該留め具が取り付けられたこれらの端部は該固定具内に樹脂モールドにより埋設され、該ロープは該固定具とともにループ形状をなし、
該固定具のロープ挿通穴内にはロープ固定のための抜け止め部が形成され、
ループ状ロープを、ワイヤハーネス本体の周りを一巻きし、その一部位を該固定具の挿通穴に挿通させ、廃棄車両解体時に引上装置のフックを引っ掛けるためのアイが形成されるようにワイヤハーネス本体に取り付けられて使用されるものであることを特徴とするワイヤハーネス取外し用部品。
【請求項３】
該固定具又はロープの少なくとも一部に着色を施したことを特徴とする請求項１又は２に記載のワイヤハーネス取外し用部品。
【請求項４】
請求項１〜３のいずれかに記載のワイヤハーネス取外し用部品がワイヤハーネス本体に装着されていることを特徴とするワイヤハーネス。
【発明の詳細な説明】
【０００１】
【発明の属する技術分野】
本発明は、車両に配索されたワイヤハーネスを車体から取外す際に、その作業性を向上させることのできるワイヤハーネス取外し用部品及びワイヤハーネスに関するものである。
【０００２】
【従来の技術】
環境問題の認識の高まりのなか、資源の有効利用への関心が益々高まっている。このような問題は、廃棄処分された車両についても例外ではない。特に、近時の電子制御化された車両が使用しているワイヤハーネスの量は膨大であり、これを無視することはできないのが現状である。
【０００３】
廃棄車両本体からワイヤハーネスを取外す場合、従来、Ｊ字状フックをワイヤハーネスに引っ掛けてクレーン等の引上装置で引き上げて取外していた。
ところが、このような方法では、ワイヤハーネスの取外しの際に、ワイヤハーネスがＪ字状フックを引っ掛けた部分において横滑りし、引き上げがうまくいかないことが多々あった。また、横滑りをしないように適切な引っ掛けポイントを選択する必要があり、作業性の効率が悪かった。
【０００４】
これに対して、廃棄車両解体時におけるワイヤハーネス取外しの作業性を向上させるための提案がいくつかなされている。例えば、ループ状のロープからなり、ワイヤハーネスを取外す際に引上装置のフックを引っ掛けるための引っ掛け部（アイ）を形成して使用するワイヤハーネス取外し用部品が提案されている。このワイヤハーネス取外し用部品は、ループ状のロープをワイヤハーネスの周りに一巻きし、その一部位をループ内に挿通させ、廃棄車両解体時にクレーン等の引上装置のフックを引っ掛けるためのアイが形成されるように、巻き付け固定して使用される。
【０００５】
上記のような構成により、ワイヤハーネスを取外すためのフックを引っ掛けるアイを極めて簡単に形成することができ、しかも横滑りを防止し、引上装置のフックを用いてワイヤハーネスを車両から取外す際の作業性を向上させることができる。
【０００６】
ところで、上記のようなループ状のロープを用いる場合、無端状のものの使用はその製造コストが高くなり、また取外し対象となるワイヤハーネスに応じて種々の寸法のものを用意しなければならないため、コストパフォーマンスの点で問題があった。
そこで、図１に示すように長尺のロープ２の両端を結んで結び目３を形成し、ワイヤハーネス１に取り付けることが考えられるが、結び方いかんによっては、ワイヤハーネス取外し作業の際に外力によりこの結び目３がほどけ、思わぬ事態を引き起こす恐れがある。また、結び目３が露出していると、見栄えが悪いという問題もある。
【０００７】
【発明が解決しようとする課題】
本発明は、このような従来技術の問題を解決するためになされたもので、ワイヤハーネス本体への取付が容易で作業性が向上し、外力によりループ状のロープがほどけたり、破断したりすることがなく、しかも外観的にも違和感のないワイヤハーネス取外し用部品及びそれを組み込んだワイヤハーネスを提供することをその課題とする。
【０００８】
【課題を解決するための手段】
本発明者らは、上記課題を解決すべく鋭意検討を重ねた結果、本発明を完成するに至った。
即ち、本発明によれば、上記課題は、下記の技術的手段により解決される。
（１）長尺のロープと、ロープを挿通させる挿通穴を有する樹脂製の固定具からなり、
該ロープの各端部にはそれぞれ結び目が形成され、これらの端部は該固定具内に樹脂モールドにより埋設され、該ロープは該固定具とともにループ形状をなし、
該固定具のロープ挿通穴内にはロープ固定のための抜け止め部が形成され、
ループ状ロープを、ワイヤハーネス本体の周りを一巻きし、その一部位を該固定具の挿通穴に挿通させ、廃棄車両解体時に引上装置のフックを引っ掛けるためのアイが形成されるようにワイヤハーネス本体に取り付けられて使用されるものであることを特徴とするワイヤハーネス取外し用部品。
（２）長尺のロープと、ロープを挿通させる挿通穴を有する樹脂製の固定具からなり、
該ロープの各端部にはそれぞれ留め具が取り付けられ、該留め具が取り付けられたこれらの端部は該固定具内に樹脂モールドにより埋設され、該ロープは該固定具とともにループ形状をなし、
該固定具のロープ挿通穴内にはロープ固定のための抜け止め部が形成され、
ループ状ロープを、ワイヤハーネス本体の周りを一巻きし、その一部位を該固定具の挿通穴に挿通させ、廃棄車両解体時に引上装置のフックを引っ掛けるためのアイが形成されるようにワイヤハーネス本体に取り付けられて使用されるものであることを特徴とするワイヤハーネス取外し用部品。
（３）該固定具又はロープの少なくとも一部に着色を施したことを特徴とする前記（１）又は（２）に記載のワイヤハーネス取外し用部品。
（４）前記（１）〜（３）のいずれかに記載のワイヤハーネス取外し用部品がワイヤハーネス本体に装着されていることを特徴とするワイヤハーネス。
【０００９】
【発明の実施の形態】
以下、本発明の実施の形態を好ましい実施例により詳細に説明する。
図２は本発明の一実施例に係るワイヤハーネス取外し用部品を示す正面図、図３は該ワイヤハーネス取外し用部品における固定具を示す斜視図である。
【００１０】
本実施例のワイヤハーネス取外し用部品１１は、長尺のロープ１２と樹脂製の固定具１３から構成される。固定具１３は全体の外観が略直方体をしている。ロープ１２の各端部１４にはそれぞれ結び目１５が形成され、結び目１５を有するこれらの端部１４は固定具１２内の下半分部分に樹脂モールドにより図示のように埋設されている。これにより、ロープ１２は固定具１３とともにループ形状を形成している。
固定具１２の上半分部分には開口部が長方形のロープ挿通穴１６が形成され、その内部にはロープ固定のための抜け止め片１７が設けられている。図４は図３のＸ−Ｘ線断面図であり、この抜け止め片１７の横断面形状が示されている。
【００１１】
本実施例のワイヤハーネス取外し用部品１１は、図５に示すようにワイヤハーネス本体１８の周りを一巻きし、ループ状ロープ１２の一部位を固定具１３のロープ挿通穴１６内に挿通させ、廃棄車両解体時に引上装置のフックを引っ掛けるためのアイ１９が形成されるようにワイヤハーネス本体１２に取り付けて使用される。この時、ループ状ロープ１２の一部位を固定具１３のロープ挿通穴１６内に挿通させると、アイ１９を形成するループ状ロープ１２の根元側部分は抜け止め片１７により図６に示すように挟み込まれ、抜けが防止され、確実な固定が行われる。
【００１２】
本実施例において、ワイヤハーネス取外し用部品１１を構成するロープ１２としては、結び目１４が作れるとともに、ワイヤハーネス本体１８の周りを巻回してアイ１９が形成でき、廃棄車両解体時にクレーン等の引上装置のフックを引っ掛けて引き上げた時にその引っ張り力に耐えうる強度（耐荷重性）を有するものであれば適宜の材料を使用することができるが、コスト的にはナイロン、ポリエステル等の樹脂材料の使用が好ましい。また、その形態も断面が円形、略楕円形のロープの他、扁平な平ロープも使用することができる。
固定具１３に使用される樹脂としては、ＡＢＳ樹脂、ポリプロピレン（ＰＰ）等を用いることができる。
【００１３】
上記のような構成とすると、ロープ１２の両端部１４に結び目１５が形成され、結び目１５を有する端部１４が固定具１３内に樹脂モールドされているので、端部１４が外力から保護されるため、ワイヤハーネス取外し作業時に、従来のように端部同士を単に結んだワイヤハーネス取外し部品におけるような不足の事態を引き起こすことが防止できる。特に、ロープ１２として撚りロープを使用した場合には、樹脂がロープ１２内に入り込んで樹脂モールド部を形成するため、その効果はより一層高まる。また、ロープ１２の両端部１４の結び目１５が固定具１５内に隠れるため、見栄えがよい。
【００１４】
以上、本発明を一実施例に基づいて説明してきたが、本発明は上記実施例に限定されず、種々の変形、変更が可能である。
例えば、上記ではロープの両端部に結び目を作って、それを樹脂モールドして固定を行ったが、ロープの両端部に留め具（ロープ端部に固定され、樹脂モールドして固定したときに外力に対する抵抗を示し、抜けが防止できるような適宜の形状のもの、例えばかしめによりロープ端部に食い込むもの等）を取り付けて、樹脂モールドするようにしてもよい。
また、固定具の形状の略直方体に限らず、ロープ固定機能を有するものであれば適宜の形状とすることができる。
また、上記では、ロープ挿通穴に抜け止め片を設けて、抜け防止を行ったが、抜け防止の役割をするものであれば、各種の形態の抜け止め部とすることができる。
【００１５】
また、本発明によれば、ワイヤハーネス取外し用部品１１の固定具１３又はロープ１２の少なくとも一部に着色を施してもよい。着色は、例えば人手で塗料を塗る、ロープの一部あるいは固定具の少なくとも一部を塗料の漕に付ける等の各種方法で行うことができる。このようにすると、ワイヤハーネス取外し作業を行う際に、一目でその取外し箇所を視認することができる。
【００１６】
さらに、本発明によれば、上記のような構成のワイヤハーネス取外し用部品１１を組み込んだワイヤハーネスが提供される。
【００１７】
【発明の効果】
以上詳細に説明したように、本発明によれば、ワイヤハーネス本体への取付が容易で作業性が向上し、外力によりループ状のロープがほどけたり、破断したりすることがなく、しかも外観的にも違和感のないワイヤハーネス取外し用部品が提供できる。また、固定具又はロープの少なくとも一部に着色を施すと、ワイヤハーネス取外し作業を行う際に、一目でその取外し箇所を視認することができるようになる。
【図面の簡単な説明】
【図１】長尺のロープの端部同士を結んで構成したワイヤハーネス取外し用部品を示す図である。
【図２】本発明の一実施例に係るワイヤハーネス取外し用部品を示す正面図である。
【図３】図２のワイヤハーネス取外し用部品における固定具を示す斜視図である。
【図４】図３のＸ−Ｘ線断面図である。
【図５】図２のワイヤハーネス取外し用部品をワイヤハーネス本体に取り付けた状態を示す図である。
【図６】固定具のロープ挿通穴にロープを挿通、固定させた状態を示す図である。
【符号の説明】
１１　ワイヤハーネス取外し用部品
１２　ロープ
１３　固定具
１４　端部
１５　結び目
１６　挿通穴
１７　抜け止め片
１８　ワイヤハーネス本体
１９　アイ（フック引っ掛け部）
【図１】
2004023951.tif 000003
【図２】
2004023951.tif 000004
【図３】
2004023951.tif 000005
【図４】
2004023951.tif 000006
【図５】
2004023951.tif 000007
【図６】
2004023951.tif 000008